【事件の表示】
　特願２０００−２２２５３９「弾球遊技機」拒絶査定不服審判事件〔平成１３年　２月２０日出願公開、特開２００１−　４６６１５〕について、次のとおり審決する。
【結　論】
　本件審判の請求は、成り立たない。
【理　由】
【１】手続の経緯・本願発明
　本願は平成５年１１月３０日に出願した特願平５−３２９９９９号の一部を平成１２年７月２４日に新たな特許出願としたものであって、その請求項１に係る発明は、平成１４年１０月１７日付け手続補正書により補正された明細書及び図面の記載からみて、その特許請求の範囲の請求項１に記載された以下のとおりのものと認める。
　「【請求項１】遊技盤(5)に振分装置(12)と変動図柄表示装置(11)と入賞装置(13)とを備えた弾球遊技機において、前記振分装置(12)は、上部に入球口(29)を有するケース(22)と、２個の案内通路(31)(32)と、前記ケース(22)内に回転自在に設けられ且つ前記入球口(29)から該ケース(22)内に入った遊技球を前記案内通路(31)(32)の何れかに振り分ける回転体(24)と、該回転体(24)を回転駆動する駆動手段(25)とを備え、一方の前記案内通路(31)に遊技球が振り分けられた場合に前記変動図柄表示装置(11)の図柄を変動させる機能と、他方の前記案内通路(32)に振り分けられた場合に前記入賞装置(13)を作動させる機能とを備えたことを特徴とする弾球遊技機。」（以下、「本願発明」という。）
　　
　　
【２】刊行物とそれに記載された発明
〔１〕これに対して、原査定における平成１４年８月７日付け拒絶理由通知に引用し、本願出願前に日本国内において頒布された刊行物である特開平２−１５６９７２号公報（以下、「刊行物１」という。）には、パチンコ機用の入賞装置に関して、以下の事項が図面とともに記載されている。
１．「本例では、第１４図に略示される遊技盤Ｐの中央部に実施される非可変形態例の大型入賞装置であって、具体的な実施例として、入賞領域から入った入賞球について、裏側へ区分排出し得る裏通し形態の第１の入賞装置と、裏側および前側へ区分排出し得る両面通し形態の第２の入賞装置を提示している。ちなみに、上記遊技盤Ｐでは、略円形状のレール１内の遊技面２において、遊技の開始により打出された遊技球の入賞手段として、非可変形態の図示４個の入賞具３，４，５と、可変形態の図示２個のチューリップ式入賞具６と、電動手段で操作される開閉板８により大入賞口９を開閉変化し得る図示１個の大入賞装置７が配置されている。なお大入賞装置７の左右両側には入賞口１０が形成されている。」（４頁左上欄１〜１７行）
２．「（第１実施例）本例の入賞装置では、第１図に全体の概略が示されるように、遊技盤Ｐにビス等で取着される本体１１と、この本体１１前面に装着されるケース体１３と、ケース体１３の回転室１６内に着脱交換自在に組込まれてモータ２１で所定方向（図示時計方向）へ連続定速回転される回転体２５と、上記本体１１裏側に組付けられる裏箱３１と、本体１１、ケース体１３および裏箱３１に亘り組込まれた入賞球用の選別盤２３等を具備して第２図〜第９図に示すように構成されたものであり、本体１１については、遊技盤Ｐの前面に直接ビス着されるフランジ部１１ａの裏側に枠部１１ｂが一体成形されて双方１１ａ，１ｌｂに亘り開口領域１２が形成されている。・・・上述した本体１１の前側から当嵌されて取着された上記ケース体１３では、・・・本体１１の開口領域１２内に嵌挿された円胴部１５には、前面開口された円形の回転室１６が形成されており、そしてこの回転室１６の縦中心線の上端に通入口１７が形成されて、その開口下面を回転室１６に臨ませ、また回転室１６の内側つまり円胴部１５の裏蓋１５ａに左右２個の通出孔１８Ａ，１８Ｂが配置されている。・・・なお円胴部１５の裏面には、各通出孔１８Ａ，１８Ｂの対応位置に入賞球用の案内片２０が庇状に突設されており、またモータ２１が固定されてその駆動軸２２が中心孔１９から前方に挿入延出されている。」（４頁左上欄１８行〜同頁左下欄１１行）
３．「前記ケース体１３の回転室１６内に収容された前記回転体２５では、前面が覆蓋された円形キャップ形に成形されたもので、その中心ボス部２６の中心孔２７に上記モータ２１の駆動軸２２が挿入連結されており、そして第８図に示すように、外周の所定部位に前記通入口１７に対し整合可能とされた第１，第２の入口２８Ａ，２８Ｂが所定角度位置・・・に開口され、その内部に前記各通出孔１８Ａ，１８Ｂに対し連通可能とされた第１，第２の受け部２９Ａ，２９Ｂが形成されている。第１の受け部２９Ａは、・・・略Ｕの字形とされて当該入口２８Ａと連通され、第２の受け部２９Ｂは、第１の受け部２９Ａに比較して相当大きいスペースを以て内面が開口されてその中央部が当該入口２８Ｂと連通されており、そして双方の受け部２９Ａ，２９Ｂは、互いにスペース、形状が異なるものの共に入賞球を裏通しするためのものであって、個々の球受け中心が前記各通出孔１８Ａ，１８Ｂに係る半径Ｒと同一の半径位置とされて共に回転体２５の外周からみると同一深さに設定されている。」（４頁右下欄４行〜５頁左上欄５行）
４．「・・・本例第１の入賞装置では、第１４図に略示される遊技盤Ｐに実施された状態において、電源投入状態のもとでモータ２１が常時連続駆動されており、これに従い回転体２５が時計方向へ連続回転されている。このもとで遊技盤Ｐ内に打出された遊技球が入賞領域Ｗに入ると、その入賞球について以降選別盤２３および回転体２５を利用して夫々の方向へ区分通出する。すなわち入賞領域Ｗから入った入賞球Ｂは、選別盤２３で受けられて何れかの通入孔で選別されることになり、・・・これに対し前通入孔２４Ａに入った入賞球は、以降ケース体１３の通入口１７に通入し、そして回転体２５が処理されるまでの間、回転体２３の外周と当接したまま暫時待機される。上記回転体２３では、・・・連続回転中において、第１，第２の入口２８Ａ，２８Ｂが共に時計方向へ移行されて上記通入口１７に対し順次整合された際に、当該の受け部２９Ａ，２９Ｂが連通されて入賞球Ｂを受入れることになる。そして各々の受け部２９Ａ，２９Ｂが入賞球を移送しながらケース体１３の当該側の通出孔１８Ａ，１８Ｂと連通した際に入賞球を裏側へ通出する。」（５頁右上欄１６行〜同頁右下欄３行）
５．「以上説明したように、本例第１の入賞装置では入賞領域Ｗから入った入賞球について、選別盤２３の各通入孔２４Ａ，２４Ｂ，２４Ｃを利用して直接裏箱３１側と、回転体２５側とに選別すると共に、回転体２５で区分する条件のもので裏通し形態に基づいて最終的には全ての球を裏箱３１における第１，第２排出路３３，３４の何れかよりから遊技盤Ｐ裏側へ区分して排出し得る。従って本例装置を実施する遊技盤Ｐでは、上記各側の通出路３３，３４から排出された入賞球を左右のチューリップ式入賞具６，６の裏側に導入して同入賞具６，６を個別に開放する遊技内容とすることも可能である。」（６頁右上欄８〜２０行）
６．「（第２実施例）第１０図および第１２図に例示される本例の第２入賞装置では、入賞領域Ｗから入った入賞球を前後方向へ区分排出する両面通し形態例のものであって、前例の第１入賞装置と基本的には同様な構成とされており、本体１１，裏箱３１，選別盤２３そしてモータ２１等を全て共通として、ケース体１３および回転体２５が部分的に変更されている。・・・すなわち本例装置におけるケース体１３では、第１，第２の通出孔１８Ａ，１８Ｂとは別に図示のように円胴部１５の最下部位に前出口１８Ｃが形成されている。この前出口１８Ｃは、入賞球Ｂを遊技盤Ｐの前面下方に排出するためのもので、回転室２５の縦中心線の最下端・・・に配置されて、その開口面を回転室１６に臨ませている。・・・また第１，第２の入口２８Ａ，２８Ｂおよび受け部２９Ｂ，２９Ｃに対し、第３の入口２８Ｃおよび受け部２９Ｃが所定角度位置・・・に配置されている。」（６頁左下欄１３行〜同頁右下欄１７行）
７．「従って上述のように構成された本例の第２入賞装置では、前例の第１入賞装置の場合と同様に入賞領域Ｗから入った入賞球について選別盤２３で適宜選別することになり、後通入孔２４Ｂ，２４Ｃを通入した入賞球を案内具３６を介し裏箱３１の第１排出路３３から排出し、一方前通入孔２４Ａを通入した入賞球をケース体１３の通入口１７に通入して以後同通入口１７内で暫時待機保持する状態を含めて、回転体２５の各位置の入口２８Ａ，２８Ｂ，２８Ｃから当該受け部２９Ａ，２９Ｂ，２９Ｃ内に受入れ、そしてケース体１３の各通出孔１８Ａ，１８Ｂおよび前出口１８Ｃから各方向へ通出する。」（７頁左上欄１９行〜同頁右上欄１１行）
８．「以上説明したように、本例の第２入賞装置では、入賞領域Ｗから入った入賞球について、選別盤２３の各通入孔２４Ａ，２４Ｂ，２４Ｃを利用して直接裏箱３１側と、回転体２５側とに選別する条件のもので、両面通し形態に基づいて回転体２５内の入賞球を最終的には前側と裏側とに区分排出し得る。従って本例装置を実施する遊技盤Ｐでは、上記各通出路３３，３４から排出された入賞球を、左右のチューリップ式入賞具６，６の裏側に導入して同入賞具６，６を個別に開放すると共に、前出口１８Ｃから排出された入賞球をその直下方の入賞具５へ通入案内する遊技内容とすることも可能である。ちなみに同遊技盤Ｐでは、上記入賞具５に入った球をスイッチ（図示しない）で検出して大入賞装置７の開放に斯る条件を発生する内容とすることも可能である。」（８頁右上欄１〜１６行）
　これら１．〜８．の記載事項を含む刊行物１全体の記載並びに当業者の技術常識によれば、刊行物１には以下の発明が記載されているものと認められる。
　「遊技盤Ｐに入賞装置と左右のチューリップ式入賞具６，６とを備えたパチンコ機において、前記入賞装置は、上部に通入ロ１７を有するケース体１３と、第１，２通出孔１８Ａ，１８Ｂ・案内片２０，２０・左右の第２排出路３４，３４と、前記ケース体１３内に回転自在に設けられ且つ前記通入ロ１７から該ケース体１３内に入った入賞球Ｂを前記第１，２通出孔１８Ａ，１８Ｂ・案内片２０，２０・左右の第２排出路３４，３４の何れかに振り分ける回転体２５と、該回転体２５を回転駆動するモータ２１とを備え、第１，２通出孔１８Ａ，１８Ｂ・案内片２０，２０・左右の第２排出路３４，３４の何れかに入賞球Ｂが振り分けられた場合に左右のチューリップ式入賞具６，６を個別に作動させる機能を備えたパチンコ機。」（以下、「刊行物１に記載の発明」という。）
　　
　　
〔２〕同じく、特開平５−７６４５号公報（以下、「刊行物２」という。）には、パチンコ遊技機に関して、以下の事項が図面とともに記載されている。
１．「そして、この遊技領域２の中央には補助可変表示ゲームを行う可変表示部２１を備えた可変表示装置２０が取り付けられている。該補助可変表示ゲームは前記可変表示装置２０の上部左右側部に設けられた特定の入賞口としての特定入賞口４Ａ，４Ｂに遊技球が入賞することを条件に開始される。そのゲーム内容は複数の図柄を所定の順序で変化させて、所定の時間が経過した時にあるいは遊技者がストップスイッチを操作した時に停止した図柄の組合せにより当り／外れを決定し、当りの場合は後述する普通電動役物としての補助変動入賞装置５０を遊技球が入賞し易い状態に変換させるものである。この補助可変表示ゲームでは前記可変表示部２１の停止図柄が当たりか否かを任意の確率によって決定することができるようになっている。」（段落【０００８】）
２．「前記可変表示部２１は左右に２つに区分されていて、左の領域に可変表示器Ａが、右の領域に可変表示器Ｂが夫々設けられている。前記各可変表示器Ａ，Ｂはセグメント形蛍光表示管により作られており、可変表示器Ａでは後述する本パチンコ遊技機の制御システムにより「１，２，３，４，５，６，７，８，９，０」の１０個の図柄がこの順序で遊技者が目で追えない速度で変化される。また可変表示器Ｂも前記可変表示器Ａと同様に変化されるようになっている。」（段落【０００９】）
３．「前記可変表示装置２０の直下位置には前記補助可変表示ゲームの結果により作動されて、遊技者に多くの賞品球獲得のチャンスを与える遊技態様としての特別遊技を行わせ易くする権利発生遊技状態を発生させる特別遊技権利確保装置としての権利発生装置５が設けられている。該権利発生装置５は前記補助可変表示ゲームが当りの場合に、前記補助変動入賞装置５０と、・・・該補助変動入賞装置５０に入賞した遊技球によって、権利発生遊技状態を発生させる分別装置７０とから構成されている。」（段落【００１０】）
　　　　
　　　　
【３】本願発明と刊行物１に記載の発明との対比・検討
〔１〕本願発明と刊行物１に記載の発明との対比
　本願発明と刊行物１に記載の発明とを対比すると、刊行物１に記載の発明の「遊技盤Ｐ」，「入賞装置」，「左右のチューリップ式入賞具６，６」，「パチンコ機」，「通入口１７」，「ケース体１３」，「第１，２通出孔１８Ａ，１８Ｂ・案内片２０，２０・左右の第２排出路３４，３４」，「入賞球Ｂ」，「回転体２５」，「モータ２１」が、本願発明の「遊技盤(5)」，「振分装置(12)」，「入賞装置(13)」，「弾球遊技機」，「入球口(29)」，「ケース(22)」，「（２個の）案内通路(31)(32)」，「遊技球」，「回転体(24)」，「駆動手段(25)」にそれぞれ相当するから、両者は、
　「遊技盤に振分装置と入賞装置とを備えた弾球遊技機において、前記振分装置は、上部に入球口を有するケースと、２個の案内通路と、前記ケース内に回転自在に設けられ且つ前記入球口から該ケース内に入った遊技球を前記案内通路の何れかに振り分ける回転体と、該回転体を回転駆動する駆動手段とを備え、前記案内通路に遊技球が振り分けられた場合に前記入賞装置を作動させる機能を備えた弾球遊技機。」の点で一致し、以下の点で相違する。
＜相違点＞
　本願発明が、「変動図柄表示装置(11)」を有し、「一方の案内通路(31)に遊技球が振り分けられた場合に変動図柄表示装置(11)の図柄を変動させる機能と、他方の案内通路(32)に振り分けられた場合に入賞装置(13)を作動させる機能とを備えた」のに対して、刊行物１記載の発明では、変動図柄表示装置を有しておらず、したがって、案内通路（第１，２通出孔１８Ａ，１８Ｂ・案内片２０，２０・左右の第２排出路３４，３４）の一方に遊技球（入賞球Ｂ）が振り分けられた場合に変動図柄表示装置の図柄を変動させる機能を備えていない点。
　　
　　
〔２〕相違点についての検討
　相違点について検討するために刊行物２をみると、刊行物２には、上記【２】〔２〕の記載事項１．〜３．からみて、「遊技領域２の中央に補助可変表示ゲームを行う可変表示部２１を備えた可変表示装置２０を取り付け、特定の入賞口としての特定入賞口４Ａ，４Ｂに遊技球が入賞することを条件に可変表示装置２０による補助可変表示ゲームを開始させるようにしたパチンコ遊技機。」が記載され、これによれば、特定の入賞口に遊技球が入賞した場合に可変表示装置２０（本願発明の「変動図柄表示装置」に相当する。）の図柄を変動させる機能が開示されているものと認められるところ、
　案内通路に遊技球が振り分けられた場合に変動図柄表示装置の図柄を変動（或いは停止）させることは、例えば、特開平２−２２０６８２号公報（振分け装置６３により入賞玉を特定入賞口７８と通常入賞口７９との何れかに振り分け落下させ、特定入賞口７８への入賞を特定入賞玉検出器２４が検出すると、可変表示装置により複数の表示結果を導出することが記載されている。５頁右下欄６〜１４行，１１頁左下欄１９行〜同頁右下欄１０行等の記載を参照。），特開平１−３１０６８３号公報（振分け部材としての回転円盤４８により打玉を第１の入賞口５２ａ，第２の入賞口５３ａ，第３の入賞口５４ａの何れかに振り分け落下させ、第２の入賞口５３ａへの入賞は単なる入賞とし、第１の入賞口５２ａへの入賞を第１の始動入賞玉検出器７９が検出し或いは第３の入賞口５４ａへの入賞を第２の始動入賞玉検出器８０が検出すると、可変表示装置７６の可変表示動作を行うことが記載されている。７頁右上欄８行〜８頁右上欄８行，第２図等の記載を参照。），特開昭６３−１４５６８７号公報（回転円盤７５の大当り溝８３ａ，８３ｂの何れかへの入賞球の入賞を入賞球検出スイッチ３６により検出し、入賞球検出スイッチ３６のオンにより権利発生付加表示器１３７の可変表示部材により識別情報を表示することが記載されている。５頁左上欄３〜１２行，６頁左上欄５行〜同頁右上欄２行，第３，８図等の記載を参照。）に記載されているように、パチンコ機の技術分野においては、従来から周知の技術であり、
　しかも、刊行物２等に記載の変動図柄表示装置についての技術を刊行物１に記載の発明に適用することについては、何らの阻害要因も認められないから、本願発明の相違点に係る技術事項は、刊行物１に記載の発明に刊行物２等に記載の変動図柄表示装置についての技術を適用することにより、当業者が容易に想到し得たものと認められる。
　　
　　
〔３〕作用効果・判断
　そして、本願発明によって奏する効果も、刊行物１に記載の発明及び刊行物２等に記載の変動図柄表示装置についての技術から普通に予測できる範囲内のものであって、格別なものがあるとは認められないから、本願発明は、刊行物１に記載の発明及び刊行物２等に記載の変動図柄表示装置についての技術に基づき当業者が容易に発明をすることができたものと云わざるを得ない。
　　　　　
　　　　　
【４】むすび
　以上のように、本願発明は、刊行物１に記載の発明及び刊行物２等に記載の変動図柄表示装置についての技術に基づき当業者が容易に発明できたものであって、特許法第２９条第２項の規定により、特許を受けることができないものであるから、本願は拒絶すべきものである。
　よって、結論のとおり審決する。